(57)【要約】【課題】  上位局における負荷を低減する。【解決手段】  遠隔監視制御装置４において、伝送制御部１１は、中央制御装置２からモデム部を介して目的指令信号を受信すると、対応する操作パターンを、記憶部から読み出して、順次、ＰＩ／Ｏ制御部１２へ各機器６を制御するための操作制御信号を送って、予め定められた順序で対応する各機器６の「入」操作や「切」操作を行う。ＰＩ／Ｏ制御部１２は、ＤＯ部１４を介して、各機器６へ操作制御信号を送る。【選択図】  図１
2011155789.tif 000002
【特許請求の範囲】
【請求項１】
電気所に配置され、上位制御装置から制御指令信号を受信すると、対応する機器に操作制御信号を送信して、前記機器を操作制御する遠隔監視制御装置であって、
順序付けられた複数の単位操作を含む操作パターンを記憶する操作パターン記憶手段と、前記上位制御装置から、前記制御指令信号として、所定の操作パターンを実行するための操作パターン実行指示信号を受信すると、対応する前記操作パターンを前記操作パターン記憶手段から抽出する操作パターン抽出手段と、抽出された前記操作パターンに従って、対応する前記機器へ、前記単位操作を実行するための前記操作制御信号を順次送信して、前記機器を操作制御する操作制御手段とを備えた
ことを特徴とする遠隔監視制御装置。
【請求項２】
前記機器と、前記機器の操作条件との間の関係を示すインターロック情報を記憶するインターロック情報記憶手段と、前記操作パターン実行指示信号を受信すると、前記インターロック情報に基づいて、各前記単位操作の可否を判定する操作可否判定手段とを備えたことを特徴とする請求項１記載の遠隔監視制御装置。
【請求項３】
前記上位制御装置から、前記操作パターンを登録指令信号とともに受信すると、前記操作パターンを、前記操作パターン記憶手段に記憶させる記憶制御手段を備えたことを特徴とする請求項１又は２に記載の遠隔監視制御装置。
【請求項４】
上位制御装置と、電気所に配置され、前記上位制御装置から制御指令信号を受信すると、対応する機器に操作制御信号を送信して、前記機器を操作制御する遠隔監視制御装置とを備えた監視制御システムであって、
前記遠隔監視制御装置は、順序付けられた複数の単位操作を含む操作パターンを記憶する操作パターン記憶手段と、前記上位制御装置から、前記制御指令信号として、所定の操作パターンを実行するための操作パターン実行指示信号を受信すると、対応する前記操作パターンを前記操作パターン記憶手段から抽出する操作パターン抽出手段と、抽出された前記操作パターンに従って、対応する前記機器へ、前記単位操作を実行するための前記操作制御信号を順次送信して、前記機器を操作制御する操作制御手段とを有する
ことを特徴とする監視制御システム。
【請求項５】
上位制御装置と、電気所に配置され、前記上位制御装置から制御指令信号を受信すると、対応する機器に操作制御信号を送信して、前記機器を操作制御する遠隔監視制御装置とが接続可能とされ、
前記遠隔監視制御装置は、順序付けられた複数の単位操作を含む操作パターンを記憶する操作パターン記憶手段を有し、前記上位制御装置から、前記制御指令信号として、所定の操作パターンを実行するための操作パターン実行指示信号を受信すると、対応する前記操作パターンを前記操作パターン記憶手段から抽出する操作パターン抽出処理と、抽出された前記操作パターンに従って、対応する前記機器へ、前記単位操作を実行するための前記操作制御信号を順次送信して、前記機器を操作制御する操作制御処理とを実行する
ことを特徴とする監視制御方法。
【発明の詳細な説明】
【技術分野】
【０００１】
この発明は、例えば、変電所等の電気所に配置され、断路器や遮断器等の機器を操作制御するための遠隔監視制御装置、監視制御システム及び監視制御方法に関する。
【背景技術】
【０００２】
従来より、変電所等の電気所に設置された遠隔監視制御装置は、上位局としての制御所等から、１ポジション毎の制御指令を受けて、現地の機器へ制御信号を送信している（例えば、特許文献１参照。）。変電所の母線停止や送電線停止等において、複数ポジションを順次制御する必要がある操作手順を、上位の制御所で、操作パターンとして予め登録し、１ポジションずつ制御指令を出力して、機器の制御を実行している。
【０００３】
例えば、変電所において、甲母線と乙母線との間に、直列接続された一対の断路器が複数対並列に（梯子状に）接続され、それぞれ対をなす断路器の接続点に送電線が接続され、かつ、甲母線と乙母線とが遮断器によって連絡されている二重母線系統の電力系統が適用される場合について説明する。
【０００４】
図９に示すように、中央制御装置２０１から制御指令信号ｒ１を受けると、遠隔監視制御装置２０２は、上記一対の断路器のうち、まず、断路器１０２甲ＬＳを「入」とする操作制御信号ｓ１を、機器２０３としての断路器１０２甲ＬＳへ送る。これにより、断路器１０２甲ＬＳが「入」となる。
【０００５】
以下、遠隔監視制御装置２０２は、中央制御装置２０１から制御指令信号ｒ２（ｒ３，ｒ４，ｒ５，ｒ６，ｒ７）を受けると、操作制御信号ｓ２（ｓ３，ｓ４，ｓ５，ｓ６，ｓ７）を、機器２０３としての断路器１０２乙ＬＳ（断路器１０４甲ＬＳ、断路器１０４乙ＬＳ、断路器１０６甲ＬＳ、断路器１０６乙ＬＳ、遮断器１００ＣＢ）へ送る。
【０００６】
また、制御中継所（制御所のバックアップ箇所等）等、上記操作パターンを登録・実行する機能を有しない上位局では、定型的な操作手順であっても、操作員が手動で操作を行い、１ポジションずつ制御指令信号を出力する必要がある。上位局のほか、変電所における直接運転時にも、上位の制御所等で登録した操作パターンを用いることができず、操作員が手動で操作を行う必要がある。
【先行技術文献】
【特許文献】
【０００７】
【特許文献１】特開２００２−２３３０５９号公報
【発明の概要】
【発明が解決しようとする課題】
【０００８】
しかしながら、上記従来技術では、１ポジションずつ制御指令信号を送信する必要があり、制御所における中央制御装置や、中継装置、伝送路等の負荷が増大している。また、制御中継所での操作、変電所での直接運転時には、操作が煩雑となる上に、誤操作を招く虞がある。
【０００９】
この発明は、前記の課題を解決し、上位局等における負荷を低減することができる遠隔監視制御装置、監視制御システム及び監視制御方法を提供することを第１の目的としている。
【００１０】
また、この発明は、操作パターンを登録・実行する機能を有しない上位局等で、誤操作を防止し、操作性を向上させることができる遠隔監視制御装置、監視制御システム及び監視制御方法を提供することを第２の目的としている。
【課題を解決するための手段】
【００１１】
前記の課題を解決するために、請求項１の発明は、電気所に配置され、上位制御装置から制御指令信号を受信すると、対応する機器に操作制御信号を送信して、前記機器を操作制御する遠隔監視制御装置であって、順序付けられた複数の単位操作を含む操作パターンを記憶する操作パターン記憶手段と、前記上位制御装置から、前記制御指令信号として、所定の操作パターンを実行するための操作パターン実行指示信号を受信すると、対応する前記操作パターンを前記操作パターン記憶手段から抽出する操作パターン抽出手段と、抽出された前記操作パターンに従って、対応する前記機器へ、前記単位操作を実行するための前記操作制御信号を順次送信して、前記機器を操作制御する操作制御手段とを備えたことを特徴としている。
【００１２】
請求項１の発明では、上位制御装置から、制御指令信号として、所定の操作パターンを実行するための操作パターン実行指示信号を受信すると、対応する操作パターンを操作パターン記憶手段から抽出し、抽出された操作パターンに従って、対応する機器へ、単位操作を実行するための操作制御信号を順次送信して、機器を操作制御する。
【００１３】
請求項２の発明は、請求項１記載の遠隔監視制御装置であって、前記機器と、前記機器の操作条件との間の関係を示すインターロック情報を記憶するインターロック情報記憶手段と、前記操作パターン実行指示信号を受信すると、前記インターロック情報に基づいて、各前記単位操作の可否を判定する操作可否判定手段とを備えたことを特徴としている。
【００１４】
請求項３の発明は、請求項１又は２に記載の遠隔監視制御装置であって、前記上位制御装置から、前記操作パターンを登録指令信号とともに受信すると、前記操作パターンを、前記操作パターン記憶手段に記憶させる記憶制御手段を備えたことを特徴としている。
【００１５】
請求項４の発明は、上位制御装置と、電気所に配置され、前記上位制御装置から制御指令信号を受信すると、対応する機器に操作制御信号を送信して、前記機器を操作制御する遠隔監視制御装置とを備えた監視制御システムであって、前記遠隔監視制御装置は、順序付けられた複数の単位操作を含む操作パターンを記憶する操作パターン記憶手段と、前記上位制御装置から、前記制御指令信号として、所定の操作パターンを実行するための操作パターン実行指示信号を受信すると、対応する前記操作パターンを前記操作パターン記憶手段から抽出する操作パターン抽出手段と、抽出された前記操作パターンに従って、対応する前記機器へ、前記単位操作を実行するための前記操作制御信号を順次送信して、前記機器を操作制御する操作制御手段とを有することを特徴としている。
【００１６】
請求項５の発明に係る監視制御方法は、上位制御装置と、電気所に配置され、前記上位制御装置から制御指令信号を受信すると、対応する機器に操作制御信号を送信して、前記機器を操作制御する遠隔監視制御装置とが接続可能とされ、前記遠隔監視制御装置は、順序付けられた複数の単位操作を含む操作パターンを記憶する操作パターン記憶手段を有し、前記上位制御装置から、前記制御指令信号として、所定の操作パターンを実行するための操作パターン実行指示信号を受信すると、対応する前記操作パターンを前記操作パターン記憶手段から抽出する操作パターン抽出処理と、抽出された前記操作パターンに従って、対応する前記機器へ、前記単位操作を実行するための前記操作制御信号を順次送信して、前記機器を操作制御する操作制御処理とを実行することを特徴としている。
【発明の効果】
【００１７】
請求項１の発明によれば、上位制御装置から、所定の操作パターンを実行するための操作パターン実行指示信号を受信すると、対応する操作パターンを操作パターン記憶手段から抽出し、抽出された操作パターンに従って、対応する機器へ、単位操作を実行するための操作制御信号を順次送信して、機器を操作制御するので、上位局等における負荷を低減することができる。また、操作パターンを登録・実行する機能を有しない上位局等で、誤操作を防止し、操作性を向上させることができる。
【００１８】
請求項２の発明によれば、操作パターン実行指示信号を受信すると、インターロック情報に基づいて、各単位操作の可否を判定するので、正確に機器を操作することができる。
【００１９】
請求項３の発明によれば、上位制御装置から、操作パターンを登録指令信号とともに受信すると、操作パターンを、操作パターン記憶手段に記憶させるので、電気所における機器変更等に円滑に対応することができる。
【００２０】
請求項４の発明によれば、上位制御装置から、所定の操作パターンを実行するための操作パターン実行指示信号を受信すると、対応する操作パターンを操作パターン記憶手段から抽出し、抽出された操作パターンに従って、対応する機器へ、単位操作を実行するための操作制御信号を順次送信して、機器を操作制御するので、上位局等における負荷を低減することができる。また、操作パターンを登録・実行する機能を有しない上位局等で、誤操作を防止し、操作性を向上させることができる。
【００２１】
請求項５の発明によれば、上位制御装置から、所定の操作パターンを実行するための操作パターン実行指示信号を受信すると、対応する操作パターンを操作パターン記憶手段から抽出し、抽出された操作パターンに従って、対応する機器へ、単位操作を実行するための操作制御信号を順次送信して、機器を操作制御するので、上位局等における負荷を低減することができる。また、操作パターンを登録・実行する機能を有しない上位局等で、誤操作を防止し、操作性を向上させることができる。
【図面の簡単な説明】
【００２２】
【図１】この発明の一実施の形態に係る監視制御システムの構成を説明するための説明図である。
【図２】同監視制御システムの遠隔監視制御装置の構成を示すブロック図である。
【図３】同監視制御システムの動作を説明するための説明図である。
【図４】同監視制御システムの動作を説明するための説明図である。
【図５】同監視制御システムに係る変電所の構成を説明するための説明図である。
【図６】同監視制御システムに係る変電所の構成を説明するための説明図である。
【図７】同監視制御システムに係る変電所の構成を説明するための説明図である。
【図８】同変電所の機器と、同機器の操作条件との間の関係を説明するための説明図である。
【図９】従来技術を説明するための説明図である。
【発明を実施するための形態】
【００２３】
次に、この発明の実施の形態について、図面を用いて詳しく説明する。
【００２４】
図１は、この発明の一実施の形態に係る監視制御システムの構成を説明するための説明図、図２は、同監視制御システムの遠隔監視制御装置の構成を示すブロック図、図３及び図４は、同監視制御システムの動作を説明するための説明図、図５乃至図７は、同監視制御システムに係る変電所の構成を説明するための説明図、図８は、同変電所の機器と、同機器の操作条件との間の関係を説明するための説明図である。
【００２５】
図１に示すように、監視制御システム１は、制御所Ａに設けられた中央制御装置２と、制御中継所Ｂ，Ｂ，…に設けられた中継制御装置３，３，…と、変電所Ｃ，Ｃ，…に配置された遠隔監視制御装置４，４，…とが、ネットワーク５を介して接続可能とされて概略構成されている。さらに、各変電所Ｃにおいて、遠隔監視制御装置４は、遮断器等の機器６，６，…を制御するとともに、必要に応じて直接運転装置７から制御を受ける。
【００２６】
中央制御装置２は、所定の制御プログラムに従って構成各部を制御する中央処理部と、各種制御プログラムやデータが記憶される記憶部と、所定のプロトコルに従ってデータ通信を行うための通信部と、表示部と、操作部とを有している。なお、中継制御装置３も、中央制御装置２と略同一のハードウェア構成を有している。
【００２７】
中央制御装置２の中央処理部は、ＣＰＵ（Ｃｅｎｔｒａｌ  Ｐｒｏｃｅｓｓｉｎｇ  Ｕｎｉｔ）等からなり、記憶部に記憶された所定の制御プログラムに従って構成各部を制御する。中央制御装置２においては、例えば、機器操作指令処理や、状態情報取得処理、操作パターン設定処理等が実行される。
【００２８】
中央制御装置２は、機器操作指令処理で、遠隔監視制御装置４において予め登録され定められた手順に従った所定の一連の操作の実行を指示するための目的指令信号（制御指令信号、操作パターン実行指示信号）を、遠隔監視制御装置４へ送信する。
【００２９】
中央制御装置２は、状態情報取得処理で、遠隔監視制御装置４から伝送されてきた機器６に関する表示情報や、計測情報を取得する。
【００３０】
中央制御装置２は、操作パターン設定処理で、登録時や、修正・追加を要する場合に、複数のポジションを順次制御出力する操作パターンを、登録指令信号とともに、遠隔監視制御装置４へ送信する。なお、中央制御装置２においては、従来の順次制御指令を行う方法が併用されても良い。
【００３１】
記憶部は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなっている。記憶部は、各種プログラムを記憶するプログラム記憶部と、設定情報等の各種情報を記憶する情報記憶部とを有している。
【００３２】
遠隔監視制御装置４は、図２に示すように、モデム部９と、伝送制御部１１と、ＰＩ／Ｏ制御部１２と、表示情報が入力されるＤＩ（Ｄｉｇｉｔａｌ  Ｉｎｐｕｔ）部１３と、制御情報が出力されるＤＯ（Ｄｉｇｉｔａｌ  Ｏｕｔｐｕｔ）部１４と、計測情報が入力されるＡＩ（Ａｎａｌｏｇ  Ｉｎｐｕｔ）部１５とを有している。
【００３３】
伝送制御部１１は、ＣＰＵ等を含む制御部（操作パターン抽出手段、操作制御手段、操作可否判定手段、記憶制御手段）と、各種制御プログラムやデータが記憶される記憶部（操作パターン記憶手段、インターロック情報記憶手段）とを有している。
【００３４】
伝送制御部１１においては、例えば、機器操作処理や、状態情報伝送処理、操作パターン登録処理等が実行される。
【００３５】
伝送制御部１１は、機器操作処理で、中央制御装置２からモデム部９を介して目的指令信号を受信すると、対応する操作パターンを、記憶部から読み出して、順次、ＰＩ／Ｏ制御部１２へ各機器６を制御するための操作制御信号を送って、予め定められた順序で対応する各機器６の「入」操作や「切」操作（単位操作）を行う。ＰＩ／Ｏ制御部１２は、ＤＯ部１４を介して、各機器６へ操作制御信号を送る。
【００３６】
伝送制御部１１は、概略的には、図３に示すように、中央制御装置２から目的指令信号ａ１を受信すると、対応する操作パターンを、記憶部から読み出して、順次、操作制御信号ｂ１，ｂ２，…をＰＩ／Ｏ制御部１２を介して各機器６へ送る。なお、中央制御装置２のほか、中継制御装置３や直接運転装置７から目的操作指令を受信すると、上記機器操作処理と同様の処理を行う。また、中央制御装置２から、緊急操作停止指令を受けた場合は、目的操作を途中で中断する。
【００３７】
また、伝送制御部１１は、インターロック情報や計測情報に基づいて、操作の可否を判定するようにしても良い。単一の機器６の操作制御については、一般に、図４に示すように、遠隔監視制御装置４において、伝送制御部１１は、中央制御装置２から機器６の選択信号ｃ１を受けると、インターロック情報や計測情報に基づいて、操作の可否を判定し、操作可の場合、選択完了信号ｄ１を中央制御装置２へ送信する。
【００３８】
中央制御装置２は、選択完了信号ｄ１を受けると、制御操作信号ｃ２を遠隔監視制御装置４へ送信し、伝送制御部１１は、制御操作信号（例えば、「切」操作）ｄ２をＰＩ／Ｏ制御部１２を介して各機器６へ送る。伝送制御部１１は、機器６から表示信号（例えば、「切」信号）ｅ１をＰＩ／Ｏ制御部１２を介して受けると、表示信号ｄ３を中央制御装置２へ送信する。なお、この実施の形態では、制御操作信号ｃ２は省略されても良い。
【００３９】
伝送制御部１１は、状態情報伝送処理で、ＰＩ／Ｏ制御部１２から得た各機器６の表示情報や計測情報を含む状態情報を、モデム部９を介して中央制御装置２へ伝送する。
【００４０】
伝送制御部１１は、操作パターン登録処理で、中央制御装置２からモデム部９を介して、複数のポジションを順次、制御出力する操作パターンを、登録指令信号とともに受信すると、操作パターンを、記憶部に記憶させる。また、伝送制御部１１は、インターロック情報に基づいて、登録指示対象の操作パターンの適否を判定し、不適正であると判定した場合には、その旨の判定情報を、中央制御装置２へ送信するようにしても良い。なお、変電所Ｃにおいて、操作パターンの登録操作がなされても良い。
【００４１】
記憶部は、ＲＯＭ、ＲＡＭ等の半導体メモリや、ＦＤ、ＨＤ、ＣＤ−ＲＯＭが装着されるＦＤＤ、ＨＤＤ、ＣＤ−ＲＯＭドライバ等の外部記憶装置を含んでいる。記憶部は、各種プログラムを記憶するプログラム記憶部と、設定情報等の各種情報を記憶する情報記憶部とを有している。
【００４２】
記憶部には、各目的操作に対応した操作パターンが記憶されている。また、記憶部には、例えば、図８に示すようなインターロック情報（変電所Ｃの機器６と、機器６の操作条件との間の関係）が記憶されていても良い。なお、インターロック情報は、遠隔監視制御装置４の上記記憶部とは別の箇所に配置された記憶部に記憶されていても良い。
【００４３】
次に、図３乃至図８を参照して、監視制御システム１の動作について説明する。変電所Ｃにおいて、図５及び図６に示すような２重母線系統の電力系統が適用されているものとする。すなわち、甲母線と乙母線との間には、直列接続された一対の断路器が複数対並列に（梯子状に）接続され、かつ、甲母線及び乙母線は、遮断器１００ＣＢによって連絡され、一対の断路器（１０１甲ＬＳ）１０１ＬＳａ、及び断路器（１０１乙ＬＳ）１０１ＬＳｂの接続点には、遮断器１０１ＣＢを介して送電線ＡＡ線１号が接続されている。
【００４４】
同様にして、一対の断路器１０２ＬＳａ，１０２ＬＳｂ（１０３ＬＳａ，１０３ＬＳｂ、１０４ＬＳａ，１０４ＬＳｂ、１０５ＬＳａ，１０５ＬＳｂ、１０６ＬＳａ，１０６ＬＳｂ）の接続点には、１０２ＣＢ（１０３ＣＢ，１０４ＣＢ，１０５ＣＢ，１０６ＣＢ）を介して送電線ＡＡ線２号（ＢＢ線１号、ＢＢ線２号、ＣＣ線１号、ＣＣ線２号）が接続されている。
【００４５】
図５及び図６において、例えば、記号「■」は「入」状態、記号「□」は「切」状態を示す。ここで、図５に示すような状態（１号線：甲「入」、２号線：乙「入」、すなわち、１甲２乙）から、図６に示すような状態（乙停止）に切り換える操作を行うものとする。
【００４６】
まず、図３に示すように、中央制御装置２から目的指令信号ａ１を受けると、遠隔監視制御装置４において、伝送制御部１１は、対応する操作パターンを、記憶部から読み出して、断路器（１０２甲ＬＳ）１０２ＬＳａを「入」とする操作制御信号ｂ１を、機器６としての断路器（１０２甲ＬＳ）１０２ＬＳａへ送る。これにより、図６に示すように、断路器（１０２甲ＬＳ）１０２ＬＳａが「入」となる。
【００４７】
次に、断路器（１０２乙ＬＳ）１０２ＬＳｂを「切」とする操作制御信号ｂ２を、機器６としての断路器（１０２乙ＬＳ）１０２ＬＳｂへ送る。次に、断路器（１０４甲ＬＳ）１０４ＬＳａを「入」とする操作制御信号ｂ３を、機器６としての断路器（１０４甲ＬＳ）１０４ＬＳａへ送る。次に、断路器（１０４乙ＬＳ）１０４ＬＳｂを「切」とする操作制御信号ｂ４を、機器６としての断路器（１０４乙ＬＳ）１０４ＬＳｂへ送る。
【００４８】
次に、断路器（１０６甲ＬＳ）１０６ＬＳａを「入」とする操作制御信号ｂ５を、機器６としての断路器（１０６甲ＬＳ）１０６ＬＳａへ送る。次に、断路器（１０６乙ＬＳ）１０６ＬＳｂを「切」とする操作制御信号ｂ６を、機器６としての断路器（１０６乙ＬＳ）１０６ＬＳｂへ送る。次に、遮断器１００ＣＢを「切」とする操作制御信号ｂ７を、機器６としての遮断器１００ＣＢへ送る。
【００４９】
次に、遠隔監視制御装置４において、伝送制御部１１が、インターロック情報や計測情報に基づいて、操作の可否を判定する場合について述べる。ここで、変電所Ｃにおいて、図７に示すような２重母線系統の電力系統が適用されているものとする。
【００５０】
すなわち、甲母線と乙母線とは、遮断器１００ＣＢ、及び断路器１００ａ，１００ｂを介して連絡され、甲母線と乙母線との間には、一対の断路器１０１ａ，１０１ｂ、一対の断路器１２１ａ，１２１ｂが接続され、断路器１０１ａ，１０１ｂの接続点には、遮断器１０１、断路器１０１Ｌが接続され、断路器１２１ａ，１２１ｂの接続点には、遮断器１２１が接続されている。また、断路器１０１Ｌには、接地開閉器１０１ＬＥ、計器用変圧器ＰＤが接続されている。
【００５１】
この場合、伝送制御部１１の記憶部には、例えば、図８に示すようなインターロック情報が記憶されている。図８において、「×」は開放状態（ＰＤについては電圧無し）、「○」は投入状態、２段書きは、ＯＲ条件を示す。例えば、断路器（１０１乙）１０１ｂの操作条件は、遮断器１０１開放、断路器１０１ａ開放、又は断路器１０１ａ，１００ａ，１００ｂ投入、遮断器１００投入となる。
【００５２】
送電線が停電状態、遮断器１０１「切」、断路器１０１Ｌ「切」、断路器１０１ａ「切」、断路器１０１ｂ「切」から、この送電線を充電する場合には、操作パターンは、断路器１０１ａ（１０１ｂ）「入」、断路器１０１Ｌ「入」の後に、遮断器１０１「入」となる。遠隔監視制御装置４の伝送制御部１１は、受け取った操作パターンにおいて、例えば、遮断器１０１「入」が、断路器１０１ａ（１０１ｂ）、１０１Ｌ「入」よりも先にある場合には、エラーとして、中央制御装置２へ通知する。
【００５３】
こうして、この実施の形態の構成によれば、中央制御装置２から順次、制御指令信号を送信するのに代えて、操作パターンを実行させるための指示信号を送信するので、中央制御装置２と遠隔監視制御装置４との間の信号の送受信が低減されるため、中央制御装置２や中継装置、伝送路等の負荷を、分散により低減することができる。
【００５４】
また、操作手順を登録・実行する機能を持たない中継制御装置３で、定型的な操作を少ない手順で実行することができる。したがって、誤操作を防止し、かつ、操作員の負担を軽減し、操作性を向上させることができる。また、変電所Ｃで直接運転する場合にも適用して、同様の効果を得ることができる。
【００５５】
また、中央制御装置２から、目的指令信号を受信すると、インターロック情報に基づいて、各操作の可否を判定するので、正確に機器６を操作することができる。また、中央制御装置２から、操作パターンを登録指令信号とともに受信すると、操作パターンを、記憶部に記憶させるので、変電所Ｃにおける機器６の変更等に円滑に対応することができる。
【００５６】
以上、この発明の実施の形態について図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、中央制御装置２において、機器操作指令処理や、状態情報取得処理、操作パターン設定処理等を、中央処理部が、対応する制御プログラムを実行することによって行うほかに、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。さらに、各処理を別々の情報処理装置が行うようにしても良い。遠隔監視制御装置４の伝送制御部１１においても同様である。
【産業上の利用可能性】
【００５７】
変電所のほか、電気所として、発電所等について適用できる。
【符号の説明】
【００５８】
１  監視制御システム
２  中央制御装置（上位制御装置）
４  遠隔監視制御装置
６  機器
９  モデム部
１１  伝送制御部
Ｃ  変電所（電気所）
【図１】
2011155789.tif 000003
【図２】
2011155789.tif 000004
【図３】
2011155789.tif 000005
【図４】
2011155789.tif 000006
【図５】
2011155789.tif 000007
【図６】
2011155789.tif 000008
【図７】
2011155789.tif 000009
【図８】
2011155789.tif 000010
【図９】
2011155789.tif 000011